(57)【要約】  【課題】  幅広のベルトに適用できるベルト通しを備えた衣服を提供する。  【解決手段】  ジーンズ１は、腰部の周りに複数のベルト通し２０を備えている。わき腹よりやや後方に縫い付けられたベルト通し２０−２、２０−４の各々には、これらのベルト通し２０よりループの長いベルト通し３０−１、３０−２が各々重ねて縫い付けられている。長ループベルト通し３０には、幅広ベルトを通すことができる。このため、標準的な幅のベルトと幅広ベルトを選択的に使用でき、幅広ベルトをずり落ちることなく着用できる。【選択図】  図１
0003118912.tif 000002
【実用新案登録請求の範囲】
【請求項１】
腰部の周りに複数のベルト通しを備えた衣服であって、
さらに、少なくとも一つの、該ベルト通しよりループの長いベルト通しを備えることを特徴とする衣服。
【請求項２】
腰部の周りに複数のベルト通しを備えたズボンであって、
腰部の両側の前記ベルト通しに、該ベルト通しよりループの長いベルト通しが重ねて取り付けられていることを特徴とするズボン。
【考案の詳細な説明】
【技術分野】
【０００１】
本考案は、腰部（ウエスト）の周りに複数のベルト通しが縫い付けられたズボンやスカートなどの衣服に関する。
【背景技術】
【０００２】
ズボンやスカートなどの衣服には、腰部（ウエスト）周りに、ベルトを通すための複数のベルト通しが縫い付けられているものがある。ベルトは、ズボンやスカートのずり落ちを防止するためはもちろん、ファッション性を高める目的としても着用される。
【考案の開示】
【考案が解決しようとする課題】
【０００３】
ところで、近年、股上が浅いローライズのジーンズなどが流行しており、このようなジーンズに合わせるベルトとして、幅が１０ｃｍ程度の幅広のベルトを着用する傾向がある。一般的なジーンズやスカートのベルト通しの幅は４〜７ｃｍ程度であるため、幅広のベルトを着用する場合は、ベルト通しに通さずにベルト通しの上から着用することになる。
【０００４】
また、ベルトを着用して、さらに、キーホルダーなどのアクセサリーをベルト通しに通したい場合、ベルトが通されたベルト通しにキーホルダーを通す余裕がなくなる。
同様に、ベルトを着用して、ウエストポーチも着用したい場合も、ウエストポーチのベルトをベルト通しに通すことができなくなる。ウエストポーチをベルト通しに通さずに着用すると、ややゆったり目に着用した場合、ウエストポーチがずり落ちるといったことも起こり得る。
【０００５】
本考案は上記の問題点に鑑みてなされたものであって、幅広のベルトに適用できるベルト通しを備えた衣服を提供することを目的とする。
【課題を解決するための手段】
【０００６】
本考案の衣服は、  腰部の周りに複数のベルト通しを備えた衣服であって、  さらに、少なくとも一つの、該ベルト通しよりループの長いベルト通しを備えることを特徴とする。
【０００７】
本考案によれば、標準的な幅のベルト通しに加えて、幅広のベルトに対応できる長ループベルト通しを設けたので、標準的な幅のベルトと幅広ベルトを選択的に使用できる。そして、幅広ベルトをずり落ちることなく着用できる。
【０００８】
さらに、ベルトを着用した状態で、キーホルダー等のアクセサリーをベルト通しに通したい場合は、アクセサリーを長ループベルト通しに通すことができ、ベルトとアクセサリーを同時に着用することができる。
また、同様に、ベルトを着用した状態で、ウエストポーチをウエストポーチも同時に着用したい場合も、ウエストポーチのベルトを長ループベルト通しに通せばよい。
【０００９】
本考案のズボンは、  腰部の周りに複数のベルト通しを備えたズボンであって、  腰部の両側の前記ベルト通しに、該ベルト通しよりループの長いベルト通しが重ねて取り付けられていることを特徴とする。
【考案の効果】
【００１０】
以上の説明から明らかなように、本考案によれば、幅広のベルトに適用できるベルト通しを備えたズボンやスカート等の衣服を提供することができる。さらに、ベルトと、キーホルダー等のアクセサリーやウエストポーチとを同時に着用することもできる。
【考案を実施するための最良の形態】
【００１１】
以下、本考案の実施の形態について、図面を参照しながら詳細に説明する。
図１は、本考案の実施の形態に係る衣服（ジーンズ）を説明するための図であり、図１（Ａ）はウエスト部の斜視図、図１（Ｂ）はウエスト部のベルト通しの正面図である。
図２は、図１のジーンズの腰部の展開図である。
ジーンズ１の腰部（ウエスト部）１０の周囲には、この例では、５個のベルト通し２０が縫い付けられている。この内、図１（Ａ）や図２に示すように、２個のベルト通し２０−１、２０−５は腹部前面に、１個のベルト通し２０−３は背中部に、２個のベルト通し２０−２、２０−４はわき腹よりやや後方に位置している。各ベルト通し２０の長さは約７ｃｍである。
【００１２】
わき腹よりやや後方に縫い付けられたベルト通し２０−２、２０−４の各々には、これらのベルト通し２０よりループの長いベルト通し３０−１、３０−２が各々重ねて縫い付けられている。長ループベルト通し３０の長さは、約１０ｃｍである。詳しく説明すると、図１（Ｂ）に示すように、長ループベルト通し３０は、上端３０ａが通常ベルト通し２０の上端２０ａと同じ位置に縫い付けられており、下端３０ｂは通常ベルト通し２０の下端２０ｂより下方に縫い付けられている。このため、正面から見ると、長ループベルト通し３０は通常ベルト通し２０上に重なっている。
【００１３】
このジーンズ１においては、通常の幅のベルトを着用する際は、ベルトを通常のベルト通し２０に通す。また、幅広ベルトを着用する際は、幅広ベルトを両側の長ループベルト通し３０にのみ通す。これにより、幅広ベルトをややゆったり目に着用しても、ずり落ちることがない。また、腰の両側に長ループベルト通し３０を設けたので、左右のバランスよくベルトを着用することができる。なお、一方の長ループベルト通し３０にのみベルトを通してもよい。
【００１４】
また、通常のベルトを着用した状態でも、長ループベルト通し３０にキーホルダー等のアクセサリーを引っ掛けたり、ウエストポーチのベルトを長ループベルト通し３０に通すこともできる。
【００１５】
図１に示す衣服においては、長ループベルト通し３０−１、３０−２が左右に備えられているが、本考案の衣服は、長ループベルト通しを少なくとも１個有していればよい。すなわち、本考案の衣服は、長ループベルト通し３０−１又は３０−２のいずれかを有していればよい。長ループベルト通しが左右のいずれかにあれば、ウエストポーチを長ループベルト通しに通して使用する際、左右のいずれに使用するかによって、使用者が購入する際に選択することが可能である。長ループベルト通しが左右の両方にある場合は、ウエストポーチを使用する際に、左右のいずれに通すかを選択することができる。
【００１６】
図３は、図１の衣服（ジーンズ）の変形例である。
図３（Ａ）は、通常ベルト通し２０と長ループベルト通し３０の、各々の上端２０ａ、３０ａ、及び、各々の下端２０ｂ、３０ｂがそれぞれ同じ位置に縫い付けられている例である。このため、長ループベルト通し３０は、やや弛んでいる。この場合は、長ループベルト通し３０の長さを、弛み分だけ図１の長ループベルト通しより長くする。
【００１７】
図３（Ｂ）は、通常ベルト通し２０と長ループベルト通し３０が重ならず、横方向にずれて配置されている例である。
【図面の簡単な説明】
【００１８】
【図１】本考案の実施の形態に係る衣服（ジーンズ）を説明するための図であり、図１（Ａ）はウエスト部の斜視図、図１（Ｂ）はウエスト部のベルト通しの正面図である。
【図２】図１のジーンズの腰部の展開図である。
【図３】図１の衣服（ジーンズ）の変形例である。
【符号の説明】
【００１９】
１  ジーンズ
１０  腰部（ウエスト部）
２０  ベルト通し
３０  長ループベルト通し
【図１】
0003118912.tif 000003
【図２】
0003118912.tif 000004
【図３】
0003118912.tif 000005